(57)【要約】【課題】  一般的に木材の結合部位は自然乾燥により、あるいは家具であれば使用中の摩耗により締結具が緩んでガタが生ずることがある。そのためボルト、ナット等の締結には弾性部材のたわみの反力を利用したものが提案されているが、結局緩んでしまう。【解決手段】  ボルトとナット等による締結装置において、ナットはナット形状部と円筒ボス部を有し、円筒ボス部に、一方には容易に移動可能で反対には移動し難い機能をもつ押込みばね板ナットを木部側に容易に移動可能な向きに圧入し、また木部方向に押込みばね板ナットを押圧する複数の皿ばねを設けて、木部の寸法減少に追随して常に押込みばね板ナットを木部側に移動して締結状態を保持することを特徴とし、また前記皿ばねを密着状態に加圧した状態に保持する針金を設けてユニットとなしたことを特徴とする木材の締結保持装置。【選択図】図１
2006105383.tif 000002
【特許請求の範囲】
【請求項１】
木部を貫通するボルトとボルトに螺合するナット等により締結する木部締結装置において、ボルトと螺合するナットはナット形状部とナット対辺より径小の円筒ボス部から成り、円筒ボス部に、ボス軸方向の一方向には容易に移動可能で反対方向には移動し難い押込みばね板ナットを木部側に容易に移動可能な向きに圧入し、押込みばね板ナットとナット形状部間に複数の皿ばねを配し、更に押込みばね板ナットと木部間にリング状スペーサを配置して、木部の収縮、摩擦等によるボルトとナット間の隙間の漸増に追随して皿ばねの加圧により押込み板ナットを木部側に移動しリング状スペーサを木部に圧接せしめてボルトとナットによる締結の状態を保持することを特徴とする木部の締結保持装置。
【請求項２】
前記ナットのナット形状部と皿ばね間の円筒ボス部に底面に有する穴を嵌合し木部側に開口して複数の皿ばね、押込みばね板ナット、リング状スペーサ等を被覆するキャップを設け、キャップ円筒部には同一円周上に複数の長穴を設け、リング状スペーサには外径円周方向に溝を設けて、複数の皿ばねを押込みばね板ナットとリング状スペーサと共にナット形状部側に加圧して積層厚さを薄くした状態において、キャップ円筒部の長穴と、リング状スペーサの溝に針金を串差しにし皿ばねへの加圧状態を維持してユニットとなしたことを特徴とする請求項１の木部の締結保持装置。
【発明の詳細な説明】
【技術分野】
【００１】  本発明は木材の締結に用いられるボルト、ナット等による締結部位の締結の状態を保持する装置に関する発明である。
【背景技術】
【００２】  住居用の建物あるいは家具に用いられる木材は自然乾燥により含水率が変化し所謂木ヤセが発生して木材の結合部位にガタが発生することが多々ある。また家具にあっては使用中の加圧による結合部位の摩耗も起因する。
そこで結合部位のボルト、ナットの螺合部の緩みの防止あるいはガタ発生の防止を目的とした多くの提案がなされている。例えば、特開平１１−３５０５９８「座金及びこの座金を用いた木材の固定構造」、実案登録第３０７０９６６号「建築羽子板ボルト緩み防止装置」、特開２００１−３１７５２８「木やせ対応締付け金物」等が代表的な提案である。これらはいずれも弾性部材のたわみを利用したものである。
従って弾性部材をたわませてその反力によってボルト、ナットの締付けの緩みを防止しようとするものであるので、被締結部材の厚さ寸法の減少とともに当然のことながら締付け力は減少してしまう。それ故緩み防止、ガタの発生の防止に役立つとは思えない。そこで本発明者は特願２００２−１１９９３６「木材の締結保持装置」にて被締結部材のヤセに対応して常にその締結を強固に保持し続ける装置の発明を開示した。当該装置は締結具と被締結部材間に互に離間する方向に押圧する主バネと、リードカム面をもった二つの円筒カムと、互にカム面が高くなる方向に付勢する回動バネ手段とを備えて、被締結部材のヤセにより発生する隙間を常に剛体により埋めて締結を保持することを特徴とする木材の締結保持装置であった。
【発明の開示】
【発明が解決しようとする課題】
【００３】  多くの提案は弾性部材のたわみの反力を用いて締結部の緩み、ガタの発生を防止しようとするものであるが、被締結部材の厚さの減少とともに締付力は減少してしまう。そこで本発明者は円筒状の二つのリードカムを介在することにより被締結部材の厚さ寸法が減少しても締結装置は剛体からなる構成を維持する装置を提案したことは前述の通りである。
しかしながら提案の締結保持装置は複雑であって高価である。昨今は製造コストが厳しく問われる時代でもありその意味での解決が望まれるところであった。
【課題を解決するための手段】
【００４】  上記課題を解決するため、木部を貫通するボルトとボルトに螺合するナット等により締結する木部締結装置において、ボルトと螺合するナットはナット形状部とナット対辺より径小の円筒ボス部から成り、円筒ボス部に、ボス軸方向の一方向には容易に移動可能で反対方向には移動し難い押込みばね板ナットを木部側に容易に移動可能な向きに圧入し、押込みばね板ナットとナット形状部間に複数の皿ばねを配し、更に押込みばね板ナットと木部間にリング状スペーサを配置して木部の収縮、摩擦等によるボルトとナット間の隙間の漸増に追随して皿ばねの加圧により押込みばね板ナットを木部側に移動しリング状スペーサを木部に圧接せしめてボルトとナットによる締結の状態を保持することを特徴とし、更に前記ナットのナット形状部と皿ばね間の円筒ボス部に底面に有する穴を嵌合し木部側に開口して複数の皿ばね、押込みばね板ナット、リング状スペーサ等を被覆するキャップを設け、キャップ円筒部には同一円周上に複数の長穴を設け、リング状スペーサには外周円周方向に溝を設けて、複数の皿ばねを押込みばね板ナットとリング状スペーサと共にナット形状部側に加圧して積層厚さを薄くした状態において、キャップ円筒部の長穴とリング状スペーサの溝に針金を串差しにし皿ばねへの加圧状態を維持してユニットとなしたことを特徴とする木部の締結保持装置の発明をした。
【発明の効果】
【００５】  本発明の主要要素は押込みばね板ナットである。ＪＡＯＳで規定されている一般のファスナーばねの一種でプッシュナットとも言われている市販部品である。この押込みばね板ナットはねじを切っていないスタッドに押し込んで部品を固定するのに使用し逆方向には抜け難い機能をもっている。軸に圧入する荷重に対して逆方向の抜き荷重は概ね１０倍程度ある。軸用と穴用があるが本装置は軸用を使用する。
本発明は前述の押込みばね板ナットを、被固定物である木材の厚さ寸法が時間の経過とともに何らかの原因で減少するのに追随して弾性部材の皿ばねにより木材側に移動せしめることを特徴としたものであるので、本案であっても皿ばねのたわみは減少するのであるが、従来の構造であれば締結部位の緩み、ガタ等が発生するところを、戻り方向には移動し難い押込みばね板ナットが機能しているので締結状態を維持するのである。極めて単純な部品による単純な構成から成り、ユニットの大きさを小さなサイズに収めることも可能で、またそれ故、大は家屋建築から小は家具に至るまで用途の範囲が広い。また、既に理解されるところであるが、なにより安価に生産出来ることである。
【発明を実施するための最良の形態】
【００６】  以下本発明の実施形態について図面にて説明する。
【構成】
図１は本発明の実施例のユニットの分解斜視図である。
図２は本発明の実施例のユニットの断面図である。
図３は図２のＡ視図である。
図４は本発明の実施例のユニットを木部にボルトにて組付けた状態の断面図である。
部品の構成を図１にて説明する。ナット６には円筒ボス部８とナット形状部７が形成され、円筒ボス部８の外径はナット形状部７の対辺寸法よりやや小さく設定されている。中心にはねじ穴９が設けられている。キャップ１０には底面１１に穴１２があって円筒ボス部８に嵌合している。反対側は開口１３している。キャップ円筒部１４には長穴１５が同一円周上に４ヶ所開けられている。長穴１５は円周方向に長穴形状をなしている。リング１６はナット６がキャップ１０から脱落しないようにキャップ１０の内側からナット６の円筒ボス部８の溝（図省略）に嵌っている。平座金１７はキャップ１０の絞り加工上、肩部にＲがつくのでそのＲ形状の影響を除くためのスペーサである。皿ばね１８は複数枚、実施例では５枚使用する。皿ばね１８は所謂直列に並べるのがよい。たわみ量を多く設定出来るからである。
次に押込みばね板ナット１９がありリング状スペーサ２２に当接している。押込みばね板ナット１９はプッシュナットとも呼ばれるばね板ナット、ファスナーばねの一種である。内径部２０が外径平面部２１よりやや膨らみもった皿状をなし相手軸への圧入は膨らみと反対側からである。一方には移動容易で反対方向には移動し難い機能を有し一般的に部品の固定に使用されている。例えば内径部２０がφ１２の押込みばね板ナット１９のあるデータによれば、圧入は４０ｋｇ反対方向は４００ｋｇの力を要する。押込みばね板ナット１９はナット６の円筒ボス部８の中程に圧入され皿ばね１８は外径平面部２１を加圧している。
本発明では押込みばね板ナット１９の配置方向は図４に示す木部１に当接するリング状スペーサ２２側に容易に移動する向きでなくてはならないので、円筒ボス部８への組付けは特別な組付治具を必要とするが本件については、発明とは直接関係ないので説明は省略する。
リング状スペーサ２２の外径には円周方向に溝２３がある。複数の皿ばね１８の積層高さが低くなる方向にリング状スペーサ２２を押込みばね板ナット１９、皿ばね１８と共に加圧する。所定寸法に加圧した時、リング状スペーサ２２の溝２３の位置とキャップ１０の複数の長穴１５の位置が軸方向で一致するように設定してあるので針金２５を図２、図３に示すようにキャップ長穴１５、溝２１、再び長穴１５と串差しすることにより加圧した状態でユニット５とすることが出来る。針金２５は二又形状になっているのでキャップ１０の両側各２ヶ所の長穴１５に貫通させておく。
【作用】
【００７】  図２に示すユニット５は図４に示すようにボルト３と螺合して木材１、２を締結する。座金４は通常の平座金である。この時ユニット５の複数の皿ばね１８は殆ど密着状態であり、リング状スペーサ２２の平面２４が木材１の面に当接している。そして針金２５をユニット５から引抜くと皿ばね１８は解放されて押込みばね板ナット１９、リング状スペーサ２２を木材１側に加圧し、例えば図４に示すように木材１、２の厚さ寸法が減少しても、その減少分皿ばね１８が押込みばね板ナット１９を移動し締結状態を保持し続けることになる。押込みばね板ナット１９が木材１側へは容易に移動可能でありその反対方向には移動し難い機能をもっているからである。
【図面の簡単な説明】  図１  本発明の実施例のユニットの分解斜視図
図２  本発明の実施例のユニットの断面図
図３  図２のＡ視図
図４  本発明の実施例のユニットを木部にボルトにて組付けた状態の断面図
【符号の説明】
１、２、木材            １０、キャップ            １６、リング
３、ボルト              １１、底面                １７、平座金
５、ユニット            １２、穴                  １８、皿ばね
６、ナット              １３、開口                １９、押込みばね板ナット
７、ナット形状部        １４、キャップ円筒部      ２０、内径部
８、円筒ボス部          １５、長穴                ２１、外径平面部
２２、リング状スペーサ
２３、溝
２４、平面
２５、針金
【図１】
2006105383.tif 000003
【図２】
2006105383.tif 000004
【図３】
2006105383.tif 000005
【図４】
2006105383.tif 000006